(57)【要約】【課題】ソフトウエアの書き換えを容易に行える通信装置を提供すること。【解決手段】中央処理装置１１２は記憶装置１１１に記憶された処理プログラムに基づいて、インターフェース１１５を通じて入力される外部機器１００から入力されたデータ及びプログラムを処理を行う。記憶装置１１１は、インターフェース１１５から入力された前記プログラムが、記憶装置１１１に記憶された前記処理プログラムの内容を修正する修正プログラムであるとき、前記修正プログラムの記憶領域をスイッチで切り換える。【選択図】　　図１
2004133673.tif 000002
【特許請求の範囲】
【請求項１】
外部機器からデータ及びプログラムを入力するインターフェースと、
前記インターフェースから入力された前記データ及び前記プログラムを処理する処理プログラム記憶する記憶装置と、
前記記憶装置に記憶された前記処理プログラムに基づいて、前記インターフェースから入力された前記データ及び前記プログラムを処理を行う中央処理装置と、
を有し、
前記記憶装置は、前記インターフェースから入力された前記プログラムが、前記記憶装置に記憶された前記処理プログラムの内容を修正する修正プログラムであるとき、前記修正プログラムの記憶領域をスイッチで切り換える通信装置。
【請求項２】
前記スイッチは、前記修正プログラムの最上位ビットを切り換えて前記記憶装置に前記修正プログラムを記憶する請求項１記載の通信装置。
【請求項３】
外部機器からデータ及びプログラムを入力する入力部と、
前記入力部から入力された前記データ及び前記プログラムを処理する処理プログラム記憶する記憶装置と、
前記記憶装置に記憶された前記処理プログラムに基づいて、前記インターフェースから入力された前記データ及び前記プログラムを処理を行う中央処理装置と、
を有し、
前記記憶装置は、前記入力部から入力された前記プログラムが、前記記憶装置に記憶された前記処理プログラムの内容を修正する修正プログラムであるとき、前記修正プログラムの記憶領域を前記修正プログラムで切り換える通信装置。
【請求項４】
前記入力部が無線通信を行うトランシーバである請求項３記載の通信装置。
【請求項５】
前記インターフェースから入力された前記データ及び前記プログラムを他の機器に無線通信を行う送信用トランシーバを有する請求項１又は２記載の第１の通信装置と、
前記送信用トランシーバからの送信された前記データ及び前記プログラムを受信する請求項４記載の第２の通信装置と、
を有する通信システム。
【発明の詳細な説明】
【０００１】
【発明の属する技術分野】
本発明はソフトウエアの書き換えを行う通信装置及び通信システムに関する。
【０００２】
【従来の技術】
近代的な通信装置はマイクロプロセッサで制御されているのが一般的である。前記通信装置の機能や性能は、マイクロプロセッサを制御している制御用ソフトウエアに依存度が高い。従って、性能向上の為にバージョンアップ等の性能アップが一般的に行われている。パソコン等の記憶媒体を周辺に持つ機械では、コンパクトディスク等の磁気記憶媒体に格納されたソフトウエアをハードディスクに書き込む方法が取られている。
【０００３】
また、プログラムを含む無線信号にしたがって、内部に記憶されているプログラムの書き替えを行う無線端末は、送信側から特定機種宛に無線信号によって書き替えを行うプログラムのデータを送信することで、一度に多くの無線端末のプログラムを書き替える。無線端末は機種ごとに固有の機種番号を記憶してあり、受信した無線信号中に、無線信号中に含まれるプログラムのデータに従って、内部に記憶されているプログラムの書き替えを行う（例えば、特許文献１参照）。
【０００４】
【特許文献１】
特開２０００−２７８７４３号公報（第３−４頁、第１図）
【０００５】
【発明が解決しようとする課題】
従来の通信装置は、磁気記憶装置を持たない通信装置では電気的に書き込める記憶装置はあるが、装置制御用のソフトウエアが占有して通信装置の制御をしている為に、バージョンアップ用ソフトウエアを通信装置の中央処理装置を経由して書き込む事は難しかった。特に、記憶媒体を持つ装置に付属する無線による通信装置に於いては、記憶媒体から直接ソフトウエアを読み出して通信装置の記憶装置に書き込み、磁気記憶媒体を持たない装置に付属する通信装置は、記憶媒体を持つ装置に付属する通信装置から電波を介して電送されるソフトウエアを通信装置の記憶装置に書き込む事はなお更である。
【０００６】
また、コンピュータに直結している通信装置では、コンピュータのインターフェースを介してソフトウエアが転送できるが、磁気記憶媒体を持たない装置、例えば液晶プロジェクタ装置に接続した通信装置では直接新しいソフトウエアを書き込む事は難しかった。
【０００７】
【課題を解決するための手段】
本発明の通信装置は、外部機器からデータ及びプログラムを入力するインターフェースと、前記インターフェースから入力された前記データ及び前記プログラムを処理する処理プログラム記憶する記憶装置と、前記記憶装置に記憶された前記処理プログラムに基づいて、前記インターフェースから入力された前記データ及び前記プログラムを処理を行う中央処理装置と、を有し、前記記憶装置は、前記インターフェースから入力された前記プログラムが、前記記憶装置に記憶された前記処理プログラムの内容を修正する修正プログラムであるとき、前記修正プログラムの記憶領域をスイッチで切り換えるものである。
【０００８】
修正プログラムをスイッチで切り換えることにより、記憶装置中における修正プログラムと他のプログラムを破壊することなく修正することができる。
【０００９】
本発明の通信装置は、前記スイッチが、前記修正プログラムの最上位ビットを切り換えて前記記憶装置に前記修正プログラムを記憶するものである。最上位ビットのみを切り換えることで、簡単に切り換えることができる。
【００１０】
本発明の通信装置は、外部機器からデータ及びプログラムを入力する入力部と、前記入力部から入力された前記データ及び前記プログラムを処理する処理プログラム記憶する記憶装置と、前記記憶装置に記憶された前記処理プログラムに基づいて、前記インターフェースから入力された前記データ及び前記プログラムを処理を行う中央処理装置と、を有し、前記記憶装置は、前記入力部から入力された前記プログラムが、前記記憶装置に記憶された前記処理プログラムの内容を修正する修正プログラムであるとき、前記修正プログラムの記憶領域を前記修正プログラムで切り換えるものである。
【００１１】
前記修正プログラムの記憶領域を前記修正プログラムで切り換えることにより、ソフトウエアで切り換えることができる。
【００１２】
本発明の通信装置は、前記入力部が無線通信を行うトランシーバである。中央処理装置が無線通信を行いながら、プログラムを修正することができる。
【００１３】
本発明の通信システムは、インターフェースから入力されたデータ及びプログラムを他の機器に無線通信を行う送信用トランシーバを有する上記記載の第１の通信装置と、前記送信用トランシーバからの送信された前記データ及び前記プログラムを受信する上記記載の第２の通信装置と、を有するものである。
【００１４】
無線通信を使用して、送信側の通信装置と受信側の通信装置のそれぞれに記憶されているプログラムを修正することができる。
【００１５】
【発明の実施の形態】
本発明の通信装置に付いて、図面に基づいて説明する。図１は通信装置が無線にて通信を行う場合の無線装置の構造を示す模式図である。本実施例では、磁気記憶媒体を付属する装置１００、送信側無線装置１１０、受信側無線装置１２０と磁気記憶媒体が付属しない装置１３０からなる。
【００１６】
磁気記憶媒体を付属する装置１００は、磁気記憶媒体であるハードディスクを有するパーソナルコンピュータである。この磁気記憶媒体に記憶された情報をインターフェース１０５を通じて、送信側無線装置１１０へ電送する。送信側無線装置１１０は、送信用無線装置１１０を制御する制御用ソフトウエアを記憶する制御用ソフト及び記憶装置１１１、送信用無線装置１１０を制御用ソフトウエアに基づいて、通信や電送するデータを制御する制御用マイクロコンピュータ１１２、電送するデータを一時保管するデータ一時保管部１１３、受信用無線装置１２０へデータを無線電送するトランシーバ１１４、磁気記憶媒体を付属する装置１００と接続するためのインタフェース１１５と送信無線装置用空中線１１６からなる。
【００１７】
受信側無線装置１２０は、受信用無線装置１２０を制御する制御用ソフトウエアを記憶する制御用ソフト及び記憶装置１２１、受信用無線装置１２０を制御用ソフトウエアに基づいて、通信や電送するデータを制御する制御用マイクロコンピュータ１２２、電送されたデータを一時保管するデータ一時保管部１２３、送信用無線装置１１０からデータを受信するトランシーバ１２４、磁気記憶媒体が付属しない装置１４０と接続するためのインタフェース１２５と受信無線装置用空中線１２６からなる。磁気記憶媒体が付属しない装置１４０は、例えば液晶プロジェクタのようなディスプレイである。磁気記憶媒体が付属しない装置１４０は、受信側無線装置１２０と接続するインタフェース１３５を有する。
【００１８】
通常の状態における無線装置の機能を説明する。先ず、送信側無線装置１２０は、磁気記憶媒体を付属する装置１００の磁気記憶媒体からデータをインターフェース１１５経由で取得する。取得されたデータは、一時保管用のデータ一時保管部１１３に格納される。制御用マイクロコンピュータ１１２が通信制御用ソフトウエアにより、データをトランシーバ１１４に送る。データは、高周波変調された後に、電波として送信側無線装置用空中線１１６を通じて空間に放射される。受信側無線装置１２０は電波を受信し、それを復調する。復調した後、データは通信制御ソフトウエアにより、一時保管用のデータ一時保管部１２３に格納されるように制御される。その後に、磁気記憶媒体が付属しない装置１３０にインターフェース１２５を介して電送される。
【００１９】
図２は、図１のより具体例としてパソコンと液晶プロジェクタの無線リンク構成を示す模式図である。磁気記憶媒体を付属する装置１００としてノートパソコン２００があり、磁気記憶媒体を持たない装置１３０として液晶プロジェクタ２３０がある。それを無線リンクで結ぶのが無線装置２１０、２２０である。ノートパソコン２００が持つハードディスク２０２が、図１で言う磁気記憶媒体である。通常の場合、ノートパソコン２００は、ハードディスク２０２に格納された画像を含むデータを液晶画面２０３に表示する。表示されたその内容は、無線装置２１０、２２０を介して液晶プロジェクタ２３０に電送され、液晶プロジェクタ２３０が電送された内容をスクリーン２４０に投影表示する。
【００２０】
次に、図２で示したハードウエア構成で無線装置の通信制御ソフトウエアの書き換えを行う場合、無線装置２１０、２２０がその通信ソフトウエアを電気的に書き換える為には、電気的にその内容を消去出来る性能を持った記憶素子と通信ソフトウエアの書き換えを制御する制御ソフトウエアを格納する記憶素子と異なった２つの記憶エリアから構成される。通常、通信ソフトウエアは電気的に消去出来る性能を持った記憶素子の中に書き込まれるが、フラッシュメモリーやＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ、電気的消去可能な読み出し専用記憶素子）が一般的である。制御用ソフトウエアか書き込まれる記憶素子はソフトウエアが電気的に消去されない素子、例えばＲＯＭ（Ｒｅａｄ−Ｏｎｌｙ　Ｍｅｍｏｒｙ、読み出し専用記憶素子）やＥＰＲＯＭ（Ｅｒａｓａｂｌｅ　Ｐｒｏｇｒａｍｍａｂｌｅ　Ｒｅａｄ−Ｏｎｌｙ　Ｍｅｍｏｒｙ、光学的消去可能な読み出し専用記憶素子）が好ましい。２つの記憶エリアは、同一番地に配置されて中央処理装置が記憶エリアを切り替えるか、異なる番地に配置されて中央装置が番地切り替えを行うかの２通りが可能である。
【００２１】
図３は、無線装置の記憶装置の番地構成を示す模式図である。図３Ａは、通信制御用ソフトウエアと通信制御ソフトウエア書き換えソフトウエアが同じ番地を共有する場合を示している。ソフトウエア用の記憶エリアが１６ビットのアドレスバスで示される空間の場合に、通信制御ソフトウエアは、通信制御ソフトウエア領域３１０、例えば番地００００から７ＦＦＦの領域を占有し、通信制御書き換えソフトウエアは、通信制御書き換えソフトウエア領域３２０、例えば番地００００から２ＦＦＦＦの領域を占有する。両ソフトウエアは一部同じ番地を占有している為、同時に使う事が出来ない。従って、切り替えスイッチ等で人為的に切り替える必要がある。
【００２２】
図３Ｂは、通信制御用ソフトウエアと通信制御ソフトウエア書き換えソフトウエアが異なった番地を占有する場合を示している。つまり、通信制御用ソフトウエア領域３３０と通信制御ソフトウエア書き換えソフトウエア領域３４０が、互いに重複する部分が無い状態である。このような状態では、通常、マイクロプロセッサは番地００００の記憶素子に格納された命令から実行を行い、その後に上位番地の命令を実行する為、無線装置が受信した情報で使うソフトウエアを選択する事が出来る。
次に、磁気記憶媒体を持つ装置１００に接続された送信用無線装置１１０のソフトウエア書き換え方法に付いて説明する。送信用無線装置１１０のソフトウエア番地構成は、図３Ａ及びＢのいずれの場合でも可能で有る。そこで、ここでは図３Ａに示したソフトウエア番地構成である場合について説明する。図４は、ハードウエア構成とその外観図である。図５は、スイッチを用いて通信制御ソフトウエア用記憶装置と書き換えソフトウエア用記憶装置の番地を切り替える方法を示す。図６は、スイッチの位置により設定される番地を示す。
【００２３】
ノートパソコン４２０は、ソフトウエア書き換えに必要な情報を表示する液晶表示装置４２１と、送信側無線装置４３０と接続するインターフェース４２５を有する。また、ノートパソコン４２０は、磁気記憶媒体であるハードディスクをも有している。
【００２４】
送信側無線装置４３０は、送信用無線装置４３０を制御する制御用ソフトウエアを記憶する制御用ソフト及び記憶装置４３１、送信用無線装置４３０を制御用ソフトウエアに基づいて、通信や電送するデータを制御する制御用マイクロコンピュータ４３２、電送するデータを一時保管するデータ一時保管部４３３、受信用無線装置へデータを無線電送するトランシーバ４３４、ノートパソコン４２０と接続するためのインタフェース４３５と送信無線装置用空中線４３６からなる。
【００２５】
送信用無線装置４３０の制御用ソフトウエアを記憶する制御用ソフト及び記憶装置４３１は、通信制御ソフトウエア用記憶素子５１０と書き換えソフトウエア用記憶素子５３０を有している。通信制御ソフトウエア用記憶素子５１０と書き換えソフトウエア用記憶素子５３０の切り換えは、最上位アドレスビット切り換えスイッチ５４０でおこなう。最上位アドレスビット（Ａ１５）切り換えスイッチ５４０は、一方が電源＋Ｖｃｃから抵抗５５０を介した接点Ａと接点Ｂのいずれかと接触し、他方がアースに接続されている。接点Ａと通信制御ソフトウエア用記憶素子５１０間と、接点ＢとＯＬＥ＿ＬＩＮＫ１書き換えソフトウエア用記憶素子５３０ＯＬＥ＿ＬＩＮＫ１間とは、それぞれ最上位アドレスバス５７０、５８０によって接続されている。また、制御用マイクロコンピュータ４３２であるマイクロコンピュータ５２０と、通信制御ソフトウエア用記憶素子５１０及びは、下位アドレス（Ａ０〜Ａ１４）バス５９０で相互に接続されている。
【００２６】
最上位アドレスビット切り換えスイッチ５４０を接点Ａと接続すると、アドレス００００〜７ＦＦＦの通信制御ソフトウエア領域６１０と、アドレス８０００〜ＡＦＦＦの書き換え用ソフトウエア領域６２０となる。一方、最上位アドレスビット切り換えスイッチ５４０を接点Ｂと接続すると、アドレス８０００〜ＦＦＦＦの通信制御ソフトウエア領域６３０と、アドレス００００〜２ＦＦＦの書き換え用ソフトウエア領域６４０となる。
【００２７】
送信用無線装置４３０の通信制御用ソフトウエアを有線を用いて書き換える方法を図７に基づき説明する。先ず、書き換えを行う為の新しい通信制御ソフトウエアを用意する（工程２０１）。通信制御ソフトウエアは、命令とその命令が格納される番地からなっている。新しい通信制御ソフトウエアは、例えばフロッピーディスク又はＣＤ−ＲＯＭ等の磁気記憶媒体からノートパソコン４２０のハードディスクに格納される（工程２０２）。ノートパソコン４２０のハードディスクに格納された通信制御ソフトを読み込む。図５で示す最上位アドレスビット切り替えスイッチ５４０を接点Ｂ側に倒す（工程２０３）。この状態で記憶装置の番地は、図６Ｂで示される状態になる。次に、送信側無線装置４３０の制御用マイクロコンピュータ４３２を可動させる（工程２０４）。制御用マイクロコンピュータ４３２は番地００００の命令を実行し、更に上位の番地に向けて命令を実行して行く為、送信側無線装置４３０は書き換え用ソフトウエアを実行する。次にノートパソコン４２０からインターフェース４３５を経由して新しい通信制御用ソフトウエアを送信側無線装置４３０に送る（工程２０５）。送信側無線装置４３０は送られてくる命令と命令が格納される番地を読み取り（工程２０６）、指定された番地に命令を書き込んで行く（工程２０７）。書き込みの最初の番地は８０００である。送信側無線装置４３０は、書き込みが終了したかを判断し（工程２２０）、ノートパソコン４２０から送られてくる新しい通信制御ソフトウエアが終了するまで書き込み作業（工程２０５〜工程２０７）を続ける。書き込み作業が終了すると（工程２２０）、送信側無線装置４３０の制御用マイクロコンピュータ４３２を止める（工程２０８）。続いて、最上位アドレスビット切り換えスイッチ５４０を接点Ａ側に倒す（工程２０９）。最上位アドレスビット切り換えスイッチ５４０を接点Ｂ位置から接点Ａ位置に切り換える事で、記憶素子の番地が図６Ａで示される番地に変わる。次に無線電送装置の中央処理装置を立ち上げると番地００００から命令を実行する為、新しい通信制御用ソフトウエアが立ち上がる事になる（工程２１０）。
【００２８】
次に磁気記憶媒体を持たない装置１３０に接続された受信側無線装置１２０に無線電送を用いてソフトウエアを書き換える方法に付いて説明する。図８は、通信制御ソフトウエアの書き換えを行う無線電送装置に付いてその模式図を示す。なお、受信側無線装置のソフトウエア番地構成は、図３Ｂに示したものを用いる。
【００２９】
受信側無線装置８１０は、受信用無線装置８１０を制御する制御用ソフトウエアを記憶する制御用ソフト及び記憶装置８１１、受信用無線装置８１０を制御用ソフトウエアに基づいて、通信や電送するデータを制御する制御用マイクロコンピュータ８１２、電送するデータを一時保管するデータ一時保管部８１３、送信用無線装置へデータを無線電送するトランシーバ８１４、液晶プロジェクタ装置８２０と接続するためのインタフェース８１５と受信無線装置用空中線８１６からなる。
【００３０】
液晶プロジェクタ装置８２０は、受信側無線装置８１０と接続するインターフェース８１５を有する。
次に、磁気記憶媒体を持たない装置１３０に接続された受信側無線装置８１０に無線電送を用いてソフトウエアを書き換える方法を、図９のフローチャートを用いて説明する。ここで、受信側無線装置８１０の制御用マイクロコンピュータ８１２が通常の通信制御ソフトウエアから書き換え用ソフトウエアに制御を移し、書き換え終了後にその制御を書き換えられた新しい通信ソフトウエアに処理を移す為には、制御用マイクロコンピュータ８１２が特殊な命令を受け取る必要がある。このため、前者を「書き換え命令」、後者を「解除命令」とする。
【００３１】
書き換えを行う為の新しい通信制御ソフトウエアを用意する（工程３０１）。通信制御ソフトウエアは、命令とその命令が格納される番地からなっている。例えば、最初の番地は００００である。新しい通信制御ソフトウエアは、例えばフロッピーディスク又はＣＤ−ＲＯＭ等の磁気記憶媒体からノートパソコン４２０のハードディスクに格納される（工程３０２）。ノートパソコン４２０のハードディスクに格納された通信制御ソフトを読み込む（工程３０３）。ノートパソコン４２０は磁気記憶媒体を持つ装置に接続された送信側無線装置４３０を経由して磁気記憶媒体を持たない装置１３０に接続された受信側無線装置８１０に対して「書き換え命令」を送信する（工程３０４）。受信側無線装置８１０は「書き換え命令」を受け取る（工程３０５）。「書き換え命令」を受信できないときは、「書き換え命令」を受信するまで繰り返される（工程３２０）。一方、「書き換え命令」を受信したときは、制御用マイクロコンピュータ８１２の制御を番地８０００以上に記憶されている書き換え用ソフトウエアに制御を移す（工程３０６）。「解除命令」でない（工程３３０）場合、ノートパソコン４２０は命令と命令の格納番地からなる新しい通信制御用ソフトウエアを送信側無線装置４３０に送る（工程３０７）。送信側無線装置４３０は、送られた内容を高周波変調して受信側無線装置８１０に送る（工程３０８）。受信側無線装置８１０は電送された内容を復調する（工程３０９）。受信側無線装置８１０は復調された命令を命令の格納番地に書き込む（工程３１０）。書き込み作業は受信側無線装置８１０が「解除命令」を受信するまで続ける。一方、受信側無線装置８１０が「解除命令」を受信すると（工程３３０）、受信側無線装置８１０の制御用マイクロコンピュータ８１２はその制御を番地００００に移す（工程３１１）。つまり、書き込まれた新しい通信制御ソフトウエアに制御を移した事になる。制御が新しい通信制御用ソフトウエアに移ると通常の通信制御を行う（工程３１２）。
【００３２】
このようにして通信制御用ソフトウエアの書き換えは可能であるが、単なるデータの書き込みと異なる点は制御用マイクロコンピュータ８１２の制御を一時、書き込み用ソフトウエアに移し、新しい通信ソフトウエアが更新されてから、その制御を新しい通信ソフトウエアに移す方法が取られるが、単なるデータの場合にはこの必要がない。また、ソフトウエアの書き込みの場合、命令と命令の格納番地が指定される反面、データの場合は格納番地は制御用マイクロコンピュータ８１２が決定する番地で良い。このように単なるデータの書き込みとソフトウエアの更新は異なった作業が行われる。
【００３３】
【発明の効果】
本発明の通信装置は、修正プログラムをスイッチで切り換えることにより、記憶装置中における修正プログラムと他のプログラムを破壊することなく修正することができる。また、本発明の通信装置は、最上位ビットのみを切り換えることで、簡単に切り換えることができる。また、本発明の通信装置は、前記修正プログラムの記憶領域を前記修正プログラムで切り換えることにより、ソフトウエアで切り換えることができる。
【００３４】
本発明は、前記入力部が無線通信を行うトランシーバであるときは、中央処理装置が無線通信を行いながら、プログラムを修正することができる。また、本発明は、無線通信を使用して、送信側の通信装置と受信側の通信装置のそれぞれに記憶されているプログラムを修正することができる。
【図面の簡単な説明】
【図１】無線装置の構造を示す模式図である。
【図２】パソコンと液晶プロジェクタの無線リンク構成を示す模式図である。
【図３】無線装置の記憶装置の番地構成を示す模式図である。詳細には、図３Ａが記憶素子の同じ番地を共有する場合であり、図３Ｂが記憶素子の異なる番地を占有する場合である。
【図４】磁気記憶媒体を持つ装置に付随する無線装置の模式図である。
【図５】無線装置の記憶装置の番地構成を示す模式図である。
【図６】最上位アドレスビット切り換えスイッチの位置と実際のアドレスを示した図である。詳細には、図６Ａが接点Ａ側に倒した場合であり、図６Ｂが接点Ｂ側に倒した場合である。
【図７】通信制御ソフトウエアの書き換えを示したフローチャートである。
【図８】磁気記憶媒体を持たない装置に付随する無線装置の模式図である。
【図９】通信制御ソフトウエアの無線書き換えを示すフローチャートである。
【符号の説明】
１００　磁気記憶媒体を付属する装置
１０５、１１５、１２５、１３５　インターフェース
１１０　送信側無線装置
１１１、１２１　制御用ソフト及び記憶装置
１１２、１２２　制御用マイクロコンピュータ
１１３、１２３　データ一時保管部
１１４、１２４　トランシーバ
１１６、１２６　送信無線装置用空中線
１２０　受信側無線装置
１３０　磁気記憶媒体が付属しない装置
【図１】
2004133673.tif 000003
【図２】
2004133673.tif 000004
【図３】
2004133673.tif 000005
【図４】
2004133673.tif 000006
【図５】
2004133673.tif 000007
【図６】
2004133673.tif 000008
【図７】
2004133673.tif 000009
【図８】
2004133673.tif 000010
【図９】
2004133673.tif 000011